(57)【要約】【課題】洗浄力を高めるモノフィラメントを具備した洗浄用ブラシの提供。【解決手段】この洗浄用ブラシは、ブラシ本体２の植毛面２Ａの植毛穴３にモノフィラメントからなるブラシ毛材５の束４を植毛してなるブラシであって、ブラシ毛材５が断面三角形状に形成されているものである。ブラシ毛材５はポリプロピレンやポリブチレンテレフタレートなどからなっている。【選択図】図３
0003124716.tif 000002
【実用新案登録請求の範囲】
【請求項１】
ブラシ本体の植毛面にモノフィラメントからなるブラシ毛材を植毛してなる洗浄用ブラシであって、ブラシ毛材が断面三角形状に形成されていることを特徴とする洗浄用ブラシ。
【考案の詳細な説明】
【技術分野】
【０００１】
本考案は、ブラシ本体の植毛面にモノフィラメント製のブラシ毛材を植毛した洗浄用ブラシに係り、特に洗浄力の高い洗浄用ブラシに関する。
【背景技術】
【０００２】
従来、便器、浴槽、車、流し台、家の壁面など様々な部分の洗浄に用いられる洗浄用ブラシとして、ブラシ本体の例えば下面に設けられた植毛面に、合成樹脂モノフィラメント製のブラシ毛材を植毛したものが知られている。前記のブラシ毛材はフィラメント長手方向と交わる断面の形状が円形であるものが使用されている。かかる洗浄用ブラシは、例えば下記の特許文献１に記載されている。
【０００３】
【特許文献１】特開２００２−１９１４３５号公報
【考案の開示】
【考案が解決しようとする課題】
【０００４】
一般に、被洗浄物にブラシ毛材が強く押し付けられると、ブラシ毛材は被洗浄物表面に沿って寝てしまい、ブラシ毛材の外周面が被洗浄物表面に密接する。しかしながら、従来の洗浄用ブラシに使用されているブラシ毛材は断面が円形であり外周面が丸みを帯びていることから、被洗浄物表面の付着物を乗り越えて付着物を拭き残すことがあり洗浄力が低かった。
【０００５】
本考案は、上記した従来の問題点に鑑みてなされたものであって、洗浄力を高めるモノフィラメントを具備した洗浄用ブラシの提供を目的とする。
【課題を解決するための手段】
【０００６】
上記目的を達成するために、本考案に係る洗浄用ブラシは、ブラシ本体の植毛面にモノフィラメントからなるブラシ毛材を植毛してなる洗浄用ブラシであって、ブラシ毛材が断面三角形状に形成されているものである。
【考案の効果】
【０００７】
本考案に係る洗浄用ブラシによれば、ブラシ毛材が断面三角形状に形成されているので、被洗浄物の表面を擦ったときに、ブラシ毛材の外周面が被洗浄物表面を摺動する。これにより、被洗浄物表面の付着物がブラシ毛材外周面の角辺で削ぎ取られる。従って、本考案の洗浄用ブラシは高い洗浄力を提供することができる。
【考案を実施するための最良の形態】
【０００８】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る洗浄用ブラシの外観図、図２は前記洗浄用ブラシにおけるブラシ毛材植毛前のブラシ本体を示す底面図、図３は前記洗浄用ブラシの側断面図、図４は図３におけるブラシ毛材のＡ−Ａ線矢視断面図である。
各図において、この実施形態に係る洗浄用ブラシ１は、ポリプロピレンなどで平面視長円形の厚板状に形成されたブラシ本体２と、ブラシ本体２の下面に植毛された無数のブラシ毛材５，５，５，・・・とから主に構成されている。ブラシ本体２の下面は、多数の植毛穴３，３，３，・・・が形成された植毛面２Ａとなっており、これらの各植毛穴３に多数のブラシ毛材５，５，５，・・・がそれぞれ植毛されている。
【０００９】
この形態において、各ブラシ毛材５はポリプロピレン製のモノフィラメントで構成されている。このモノフィラメントはフィラメント長手方向と直交する断面が正三角形（図４参照）となるように形成されている。この場合、ブラシ毛材５は、断面形状である三角形の高さＨを０．１〜１．０ｍｍとする太さのものが好ましい。ブラシ毛材５の三角形の高さＨが０．１ｍｍを下回ると、フィラメントの腰が弱すぎて元の形状に戻りにくいうえ洗浄能力も低下するという不具合がある。三角形の高さＨが１．０ｍｍを超えると、フィラメント径が大きく硬すぎて被洗浄物の表面を傷つけやすくなる。これらのブラシ毛材５，５，５，・・・は１０〜１００本程度が束ねられることにより束４を構成する。束４はフィラメント長手方向略中央部において切欠きリング状の楔材６により折り返され、折り返し部分が根元部５Ａとして楔材６とともに植毛穴３に挿入され植毛穴３の奥部で係止される。
【００１０】
尚、ブラシ毛材５の植毛態様は前記に限るものでない。すなわち、ブラシ毛材５のフィラメント長手方向略中央部を折り返すことなくフィラメント先端部をそのまま植毛穴３に植毛したものも本考案に含まれる。また、楔材としてはブラシ毛材５を植毛穴３に支持固定できるものであれば特に限定されないが、上記したように植毛穴３の奥部まで挿入される切欠きリング状体や、植毛穴３の入口部で係止される直線棒状体などが挙げられる。
【００１１】
前記のブラシ毛材５を構成するモノフィラメントは、公知の水冷紡糸機およびそれに連続する延伸熱処理機を用いて製造することができる。すなわち、このモノフィラメントは、原料である合成樹脂（例えば、ポリプロピレン）の溶融物が押出機で給送されることにより、ノズル開口形状が正三角形の紡糸口金から紡出され、紡出されたフィラメント状ポリマーが冷却され、続いて延伸され、更に続いて熱処理されることにより得られる。そのときに紡糸条件、延伸温度、延伸比、熱処理温度、巻取速度等を調節することによって、所望する、結晶化ピーク温度、融解ピーク温度、沸水収縮率のモノフィラメントが得られる。
【００１２】
上記のように構成された洗浄用ブラシ１は、図５に示すように、被洗浄物７の洗浄に用いられる。すなわち、洗浄用ブラシ１で被洗浄物７の表面を強く擦ると、洗浄用ブラシ１のブラシ毛材５が被洗浄物７の表面で寝てしまい、ブラシ毛材５の外周面の角辺５Ｂのひとつが矢印Ｆのように被洗浄物７の表面を摺動する。これにより、付着物８をブラシ毛材５の角辺５Ｂで被洗浄物７から削ぎ取ることができる。すなわち、洗浄力の高い洗浄用ブラシ１を得ることができた。
【実施例１】
【００１３】
続いて、本考案の実施例を説明するが、これらの実施例も本考案を限定するものでない。
この実施例に用いる試験用ブラシは次のように構成してある。ブラシ本体の植毛面に、縦１０個×横５個の植毛穴（口径３．５ｍｍ）が千鳥配置で設けられている。植毛穴の配置ピッチは縦９ｍｍ、横７ｍｍである。各植毛穴には、３０本（折り返し前）のブラシ毛材（断面正三角形で三角形高さが０．２５ｍｍ、ポリブチレンフタレート製のモノフィラメント）の折り返し束が植毛されている。一方、被洗浄物である試験片は、縦２０ｃｍ、横４０ｃｍ、厚さ２ｍｍのポリエチレン製の試験基板１０（図６（ａ）参照）の表面中央部分に、３．５ｇに定量したパラフィン１１（融点６８〜７０℃、キシダ化学株式会社製）を約１０ｃｍ角に塗布したものである。
そして、和歌山県工業技術センター所有の摩擦試験機の水平移動部材に前記の試験用ブラシを植毛面を下向きにして取り付け、摩擦試験機の試験片支持台上に前記の試験片を載置し、この試験片の表面を、往復移動する試験用ブラシで約２ｋｇの荷重をかけながら擦った（図６（ａ）の矢印Ｙ方向）。このときの試験片の表面における試験用ブラシの移動距離は片道約３４ｃｍであり、その移動速度は１往復／秒であり、１回の摩擦試験における移動回数は往復２００回とした。尚、試験用ブラシの移動方向と直交する方向のブラシ毛材植毛幅は約６５ｍｍである。
【００１４】
実施例１の洗浄用ブラシによれば、図６（ｂ）に示すように、試験基板１０上のパラフィン１１に、パラフィン１１の除去により形成された痕跡除去痕跡幅Ｗ１（＝３１．１ｍｍ）の除去痕跡１２Ａが観察された。試験前後の試験片の重量測定結果から、パラフィン１１の除去量は０．９ｇであった。
【実施例２】
【００１５】
フィラメント断面が正三角形で三角形高さが０．３０ｍｍであるポリブチレンフタレート製のモノフィラメントからなるブラシ毛材を用いたこと以外は、実施例１と同様に、試験用ブラシを作製し摩擦試験に供した。
この実施例２の洗浄用ブラシによれば、図６（ｃ）に示すように、試験基板１０上のパラフィン１１に、パラフィン１１の除去により形成された痕跡除去痕跡幅Ｗ２（＝３０．４ｍｍ）の除去痕跡１２Ｂが観察された。パラフィン１１の除去量は１．２ｇであった。
【００１６】
［比較例］
フィラメント断面が円形で外径が０．２５ｍｍであるポリプロピレン製のモノフィラメントからなるブラシ毛材を用いたこと以外は、実施例１と同様に、試験用ブラシを作製し摩擦試験に供した。
この比較例の洗浄用ブラシによれば、図６（ｄ）に示すように、試験基板１０上のパラフィン１１に、パラフィン１１の除去により形成された痕跡除去痕跡幅Ｗ３（＝１２．４ｍｍ）の除去痕跡１２Ｃが観察された。パラフィン１１の除去量は０．９ｇであった。
【００１７】
【表１】
0003124716.tif 000003
【００１８】
上記した実施例１，２の洗浄用ブラシは、図６および表１から明らかなように、比較例の洗浄用ブラシと比べて、付着物であるパラフィン１１を広い幅で拭い取ることができた。また、三角形高さが実施例１のモノフィラメントよりも大きなブラシ毛材を用いた実施例２の洗浄用ブラシは、パラフィン１１の除去痕跡幅が実施例１の洗浄用ブラシと変わっていないがパラフィン除去量は多くなった。
【００１９】
尚、上記した実施形態や実施例では、断面が完全な正三角形であるブラシ毛材の例を示したが、本考案はそれに限定されるものでない。例えば、図７（ａ）に示すように、断面三角形の各辺がいくぶん内向きに陥入した形状のブラシ毛材５ａや、同図（ｂ）に示すように、断面三角形の各辺がいくぶん外向きに膨出した形状のブラシ毛材５ｂであってもよい。あるいは、鋭角三角形や鈍角三角形の断面を有するブラシ毛材も本考案に含まれる。
【００２０】
また、上記では、柄のないブラシ本体２を用いた洗浄用ブラシ１を例示したが、本考案は、図８に示すように、ブラシ本体２に一体に柄９を取り付けた洗浄用ブラシ１ａにも適用可能である。
【００２１】
上記した各構成において、ブラシ本体や柄を形成する材質としては、特に限定されないが、例えばポリプロピレン、ポリエチレン、ポリ塩化ビニル、ポリエチレンテレフタレート、ポリスチレン、ＡＢＳ樹脂などの合成樹脂、あるいは木材、金属などが挙げられる。また、ブラシ本体は上記のような平面視長円形のものに限らず、所望する平面形状のものを採用することができる。
【００２２】
ブラシ毛材の材質としては、モノフィラメントを形成する樹脂であれば特に限定されないが、前記のポリプロピレンやポリブチレンテレフタレート以外に、例えばポリエチレンテレフタレート、ポリスチレン、ポリアミド、ポリ塩化ビニルなどが挙げられる。また、ブラシ毛材の太さや、一束あたりのブラシ毛材の数などは、その使用目的に応じて適宜決定すればよく特に限定されない。そして、ブラシ毛材のモノフィラメント先端に先割れ処理を施しておけば、被洗浄物の表面を傷つけにくくなる。
【００２３】
また、ブラシ本体において植毛面が形成される部位は特に限定されず、上記したブラシ本体の下面のみならず、ブラシ本体の側面や上面であってもよい。このように、ブラシ本体の側面や上面に植毛面を設ける場合は、例えば洋式便器などの複雑な形状をしている被洗浄部位を有する対象物を洗浄する場合でも、洗浄ブラシを持ち替えることなく楽な姿勢で洗浄することができる。
【図面の簡単な説明】
【００２４】
【図１】本考案の一実施形態に係る洗浄用ブラシの外観図である。
【図２】前記洗浄用ブラシにおけるブラシ毛材植毛前のブラシ本体を示す底面図である。
【図３】前記洗浄用ブラシの側断面図である。
【図４】図３におけるブラシ毛材のＡ−Ａ線矢視断面図である。
【図５】前記洗浄用ブラシの使用態様図である。
【図６】本考案の実施例および比較例の試験片を示す平面図である。
【図７】本考案の別の実施形態に係る洗浄用ブラシのブラシ毛材を示す図４に対応する断面図である。
【図８】本考案の他の実施形態に係る洗浄用ブラシの外観図である。
【符号の説明】
【００２５】
１，１ａ  洗浄用ブラシ
２    ブラシ本体
２Ａ  植毛面
３    植毛穴
５，５ａ，５ｂ  ブラシ毛材
【図１】
0003124716.tif 000004
【図２】
0003124716.tif 000005
【図３】
0003124716.tif 000006
【図４】
0003124716.tif 000007
【図５】
0003124716.tif 000008
【図６】
0003124716.tif 000009
【図７】
0003124716.tif 000010
【図８】
0003124716.tif 000011